(57)【要約】      （修正有）【課題】機械的な草の挟持力によらず、使用者の力を草の挟持力として作用することにより、根強い草であっても確実に抜き取れるようにした草取り器具を提供する。【解決手段】操作シャフト２と、操作シャフト２の軸下端側に固設された鍬刃１１と、草を挟持でき、挟持状態の草を離脱できるように鍬刃１１に近接及び離間可能に設けられた挟持片１２と、操作シャフト２に設けられ、挟持片１２に牽引ワイヤ１３で連結されており、牽引ワイヤ１３を介して、挟持片１２を作動させる操作レバー１４とを備える。また、鍬刃１１は、先端部が鋭角の三角状であって、先端部の鋭角を形成する両辺に刃が設けられており、挟持片１２は、棒状であって、挟持した草を逃さないように先部に段差状の返し部を設ける。【選択図】図１
0003170748.tif 000002
【実用新案登録請求の範囲】
【請求項１】
使用者が立ち姿勢のままで握れるグリップ部が軸上端側に設けられた長尺な筒状の操作シャフトと、
前記操作シャフトの軸下端側に固設された第１の鍬刃と、
草を挟持でき、挟持状態の草を離脱できるように前記第１の鍬刃に近接及び離間可能に設けられた第１の挟持片と、
前記操作シャフトに設けられ、前記第１の挟持片に第１の牽引ワイヤで連結されており、該牽引ワイヤを介して、前記第１の挟持片を作動させる第１の操作レバーとを備えることを特徴とする草取り器具。
【請求項２】
前記第１の鍬刃は、先端部が鋭角の三角状であって、先端部の鋭角を形成する両辺に刃が設けられており、
前記第１の挟持片は、棒状であって、挟持した草を逃さないように先部に段差状の返し部が設けられており、前記第１の鍬刃に近接させたとき、前記第１の鍬刃の中心線と重なるとともに、前記第１の挟持片の先端部と前記第１の鍬刃の先端部とが一致するように設けられていることを特徴とする請求項１に記載の草取り器具。
【請求項３】
前記操作シャフトの軸下端側に前記第１の鍬刃と反対向きに固設された第２の鍬刃と、
草を挟持でき、挟持状態の草を離脱できるように前記第２の鍬刃に近接及び離間可能に設けられた第２の挟持片と、
前記操作シャフトに設けられ、前記第２の挟持片に第２の牽引ワイヤで連結されており、該牽引ワイヤを介して、前記第２の挟持片を作動させる第２の操作レバーとを備えることを特徴とする請求項１又は請求項２に記載の草取り器具。
【請求項４】
前記第２の鍬刃は、先端部が斜めに裁断された四角状であって、先端部に三角状のスリットが設けられており、
前記第２の挟持片は、先端部が斜めに裁断された形状の平板であって、堀込方向を対称軸として前記第２の鍬刃の裁断方向とは線対称の方向に裁断された形状であり、前記第２の鍬刃に近接させたとき、前記第２の鍬刃の全体を覆うように構成されていることを特徴とする請求項３に記載の草取り器具。
【請求項５】
使用者が立ち姿勢のままで握れるグリップ部が軸上端側に設けられた長尺な筒状の操作シャフトと、
前記操作シャフトの軸下端側に固設された第２の鍬刃と、
草を挟持でき、挟持状態の草を離脱できるように前記第２の鍬刃に近接及び離間可能に設けられた第２の挟持片と、
前記操作シャフトに設けられ、前記第２の挟持片に第２の牽引ワイヤで連結されており、該牽引ワイヤを介して、前記第１の挟持片を作動させる第２の操作レバーとを備え、
前記第２の鍬刃は、先端部が斜めに裁断された四角状であって、先端部に三角状のスリットが設けられており、
前記第２の挟持片は、先端部が斜めに裁断された形状の平板であって、堀込方向を対称軸として前記第２の鍬刃の裁断方向とは線対称の方向に裁断された形状であり、前記第２の鍬刃に近接させたとき、前記第２の鍬刃の全体を覆うように構成されていることを特徴とする草取り器具。
【考案の詳細な説明】
【技術分野】
【０００１】
本考案は、使用者が立姿勢のままで雑草を根本から抜き取ることができるようにした草取り器具に関する。
【背景技術】
【０００２】
この種の草取り器具として、従来、図６に示す技術が知られている（例えば、特許文献１を参照。）。この草取り器具１００は、使用者が立ち姿勢のまま操作可能な長さの操作シャフトＳと、草を根ごと挟持可能な草の摘取り機構部Ｃとからなり、草の摘取り機構部Ｃは互いに軸承連結されて挟持爪１０４，１０５を有する第１並びに第２の基体フレーム１０１，１０２を備え、その第２の基体フレーム１０２が屈折動することにより草を根ごと挟持爪１０４，１０５で挟み込むとともに、掛止め片１１３が施錠片１１５で係合支持されて挟持爪１０４，１０５が草を挟み込んだままロックされることにより草を抜き取れる。
【先行技術文献】
【特許文献】
【０００３】
【特許文献１】特開平９−９７０１号
【考案の概要】
【考案が解決しようとする課題】
【０００４】
しかしながら、従来の草取り器具１００では、第２の基体フレーム１０２の機械的な屈接力により草を挟み込むもので、第２の基体フレーム１０２等の連結部に機構的な遊びが生ずるのを避けられないため、草を挟持爪１０４，１０５で確実に挟み込めず、また、根強い草であると最後まで完全に掴み切れないで抜き取れない虞れがある。
【０００５】
そこで、本考案が解決しようとする課題は、機械的な草の挟持力によらず、使用者の力を草の挟持力として作用することにより、根強い草であっても確実に抜き取れるようにした草取り器具を提供することである。
【課題を解決するための手段】
【０００６】
この考案は、前記課題を解決するためになされたもので、請求項１に記載の草取り器具は、使用者が立ち姿勢のままで握れるグリップ部が軸上端側に設けられた長尺な筒状の操作シャフトと、前記操作シャフトの軸下端側に固設された第１の鍬刃と、草を挟持でき、挟持状態の草を離脱できるように前記第１の鍬刃に近接及び離間可能に設けられた第１の挟持片と、前記操作シャフトに設けられ、前記第１の挟持片に第１の牽引ワイヤで連結されており、該牽引ワイヤを介して、前記第１の挟持片を作動させる第１の操作レバーとを備えることを特徴としている。
【０００７】
請求項１に記載の草取り器具によれば、操作シャフトの軸下端側に第１の鍬刃が固設されているので、通常の鍬と同様に土に堀込むことが可能である。加えて、第１の挟持片が、草を挟持でき、挟持状態の草を離脱できるように第１の鍬刃に近接及び離間可能に設けられているとともに、牽引ワイヤを介して、使用者による第１の操作レバーによって作動するので、使用者の力を草の挟持力として作用させることができ、第１の鍬刃で草の根本位置まで掘り込んだ後に第１の挟持片を作動させることで草を挟持することができ、使用者が器具全体を引き上げるのに伴って草を強く掴んで確実に抜き取ることができる。
【０００８】
請求項２に記載の草取り器具は、請求項１において、前記第１の鍬刃は、先端部が鋭角の三角状であって、先端部の鋭角を形成する両辺に刃が設けられており、前記第１の挟持片は、棒状であって、挟持した草を逃さないように先部に段差状の返し部が設けられており、前記第１の鍬刃に近接させたとき、前記第１の鍬刃の中心線と重なるとともに、前記第１の挟持片の先端部と前記第１の鍬刃の先端部とが一致するように設けられていることを特徴としている。
【０００９】
請求項２に記載の草取り器具によれば、請求項１の効果に加えて、第１の鍬刃が、先端部が鋭角の三角状であって、先端部の鋭角を形成する両辺に刃が設けられているので、土壌が比較的硬い場合であっても、深くまで堀込むことができる。
【００１０】
加えて、請求項２に記載の草取り器具によれば、土壌が比較的硬い場合には、硬い土が邪魔をして第１の挟持片を第１の鍬刃に近接させにくいところ、第１の挟持片は、棒状であって、挟持した草を逃さないように先部に段差状の返し部が設けられており、第１の鍬刃に近接させたとき、第１の鍬刃の中心線と重なるとともに、第１の挟持片の先端部と第１の鍬刃の先端部とが一致するように設けられているので、土壌が比較的硬い場合であっても、第１の挟持片を第１の鍬刃に近接させやすく、草をより強く掴んで確実に抜き取ることができる。
【００１１】
請求項３に記載の草取り器具は、請求項１又は請求項２において、前記操作シャフトの軸下端側に前記第１の鍬刃と反対向きに固設された第２の鍬刃と、草を挟持でき、挟持状態の草を離脱できるように前記第２の鍬刃に近接及び離間可能に設けられた第２の挟持片と、前記操作シャフトに設けられ、前記第２の挟持片に第２の牽引ワイヤで連結されており、該牽引ワイヤを介して、前記第２の挟持片を作動させる第２の操作レバーとを備えることを特徴としている。
【００１２】
請求項３に記載の草取り器具によれば、請求項１又は請求項２の効果に加えて、操作シャフトの軸下端側に第１の鍬刃と反対向きに固設された第２の鍬刃と、草を挟持でき、挟持状態の草を離脱できるように第２の鍬刃に近接及び離間可能に設けられた第２の挟持片と、操作シャフトに設けられ、第２の挟持片に第２の牽引ワイヤで連結されており、該牽引ワイヤを介して、第２の挟持片を作動させる第２の操作レバーとを備えているので、第１の鍬刃及び第１の挟持片の組み合わせとは異なる種類の第２の鍬刃及び第２の挟持片の組み合わせを反対向きに設けることができ、使用者は、鍬刃の向きを反転させることにより、土壌や草の態様に応じて好適な鍬刃を選択して作業に当たることができる。
【００１３】
請求項４に記載の草取り器具は、請求項３において、前記第２の鍬刃は、先端部が斜めに裁断された四角状であって、先端部に三角状のスリットが設けられており、前記第２の挟持片は、先端部が斜めに裁断された形状の平板であって、堀込方向を対称軸として前記第２の鍬刃の裁断方向とは線対称の方向に裁断された形状であり、前記第２の鍬刃に近接させたとき、前記第２の鍬刃の全体を覆うように構成されていることを特徴としている。
【００１４】
請求項４に記載の草取り器具によれば、請求項３の効果に加えて、第２の鍬刃が、先端部が斜めに裁断された四角状であって、先端部に三角状のスリットが設けられているので、土壌が比較的柔らかい場合に、幅広く且つ深く堀込むのに好適であり、先端部の三角状のスリットを介して、堀込んだ土を逃がすことができるので、草を抜き取る際に友連れする土を減らすことができる。
【００１５】
加えて、請求項４に記載の草取り器具によれば、第２の鍬刃も第２の挟持片も先端部が斜めに裁断された形状の平板であって、裁断方向が互いに線対称の関係にあることから、この裁断部分を介して、堀込んだ土を効率よく逃がすことができるので、この構成によっても草を抜き取る際に友連れする土を減らすことができる。
【００１６】
すなわち、請求項４に記載の草取り器具によれば、第２の鍬刃の先端部に設けた三角状のスリット、並びに、第２の鍬刃及び第２の挟持片の先端部の裁断形状，対称関係によって、使用者は、力をそれ程かけずとも第２の挟持片を作動させることができ、非力の場合でも簡単に草を抜き取ることができる。
【００１７】
請求項５に記載の草取り器具は、使用者が立ち姿勢のままで握れるグリップ部が軸上端側に設けられた長尺な筒状の操作シャフトと、前記操作シャフトの軸下端側に固設された第２の鍬刃と、草を挟持でき、挟持状態の草を離脱できるように前記第２の鍬刃に近接及び離間可能に設けられた第２の挟持片と、前記操作シャフトに設けられ、前記第２の挟持片に第２の牽引ワイヤで連結されており、該牽引ワイヤを介して、前記第１の挟持片を作動させる第２の操作レバーとを備え、前記第２の鍬刃は、先端部が斜めに裁断された四角状であって、先端部に三角状のスリットが設けられており、前記第２の挟持片は、先端部が斜めに裁断された形状の平板であって、堀込方向を対称軸として前記第２の鍬刃の裁断方向とは線対称の方向に裁断された形状であり、前記第２の鍬刃に近接させたとき、前記第２の鍬刃の全体を覆うように構成されていることを特徴としている。
【００１８】
請求項５に記載の草取り器具によれば、操作シャフトの軸下端側に第２の鍬刃が固設されているので、通常の鍬と同様に土に堀込むことが可能である。加えて、第２の挟持片が、草を挟持でき、挟持状態の草を離脱できるように第２の鍬刃に近接及び離間可能に設けられているとともに、牽引ワイヤを介して、使用者による第２の操作レバーによって作動するので、使用者の力を草の挟持力として作用させることができ、第２の鍬刃で草の根本位置まで掘り込んだ後に第２の挟持片を作動させることで草を挟持することができ、使用者が器具全体を引き上げるのに伴って草を強く掴んで確実に抜き取ることができる。
【００１９】
また、請求項５に記載の草取り器具によれば、第２の鍬刃が、先端部が斜めに裁断された四角状であって、先端部に三角状のスリットが設けられているので、土壌が比較的柔らかい場合に、幅広く且つ深く堀込むのに好適であり、先端部の三角状のスリットを介して、堀込んだ土を逃がすことができるので、草を抜き取る際に友連れする土を減らすことができる。
【００２０】
加えて、請求項５に記載の草取り器具によれば、第２の鍬刃も第２の挟持片も先端部が斜めに裁断された形状の平板であって、裁断方向が互いに線対称の関係にあることから、この裁断部分を介して、堀込んだ土を効率よく逃がすことができるので、この構成によっても草を抜き取る際に友連れする土を減らすことができる。
【００２１】
すなわち、請求項５に記載の草取り器具によれば、第２の鍬刃の先端部に設けた三角状のスリット、並びに、第２の鍬刃及び第２の挟持片の先端部の裁断形状，対称関係によって、使用者は、力をそれ程かけずとも第２の挟持片を作動させることができ、非力の場合でも簡単に草を抜き取ることができる。
【考案の効果】
【００２２】
本考案によれば、機械的な草の挟持力によらず、使用者の力を草の挟持力として作用することにより、根強い草であっても確実に抜き取れるようにした草取り器具を提供することができる。
【図面の簡単な説明】
【００２３】
【図１】本考案に係る草取り器具の構成の概略説明に供する図である。
【図２】本考案に係る草取り器具の鍬刃や挟持片の構成の詳細説明に供する図である。
【図３】本考案に係る草取り器具の操作レバーの構成の詳細説明に供する図である。
【図４】本考案に係る草取り器具の第１の鍬刃や第１の挟持片の構成についての説明に供する図であって、（Ａ）第１の挟持片が離間した状態、（Ｂ）第１の挟持片が近接した状態を示す図である。
【図５】本考案に係る草取り器具の第２の鍬刃や第２の挟持片の構成についての説明に供する図であって、（Ａ）第２の挟持片が離間した状態、（Ｂ）第２の挟持片が近接した状態を示す図である。
【図６】従来の草取り器具の実施例を示す図である。
【考案を実施するための形態】
【００２４】
以下、本考案を適用した具体的な実施の形態について、図面を参照しながら詳細に説明する。本考案は、例えば、図１乃至図３に示すような構成の草取り器具１に適用される。
【００２５】
１．草取り器具１の構成
この草取り器具１は、図１に示すように、操作シャフト２と、鍬刃１１（第１の鍬刃），２１（第２の鍬刃）、挟持片１２（第１の挟持片），２２（第２の挟持片）と、牽引ワイヤ１３（第１の牽引ワイヤ），２３（第２の牽引ワイヤ）と、操作レバー１４（第１の操作レバー），２４（第２の操作レバー）とを主要部として備えている。
【００２６】
操作シャフト２は、使用者が立ち姿勢のままで使用可能な長さを有する円筒状のパイプ部材で形成されており、使用者が立ち姿勢のままで握れるグリップ部３を軸上端側に備えている。グリップ部３には、使用者が容易に使用できるよう両手で握れる長さを有する。なお、グリップ部３の中腹部，下部寄りには両手を親指，人さし指で位置決めする窪み部を設けてもよい。
【００２７】
鍬刃１１は、図２に示すように、操作シャフト２の軸下端側に設けられた支持フレーム４に固設されており、鋼材等からなり、先端部が鋭角の三角状であって、先端部の鋭角を形成する両辺に刃が設けられている。鍬刃１１は、先端部が上を向くように適度に傾斜が設けられており、通常の鍬としても使用できる。
【００２８】
挟持片１２は、図２に示すように、棒状の鋼材等からなり、挟持した草を逃さないように先部に段差状の返し部１６が設けられている。挟持片１２は、後部寄りの部位において支持フレーム４に軸支されており、更に後部が牽引ワイヤ１３に連結されている。そして、挟持片１２は、支持フレーム４への軸支位置より先部寄りの部位においてバネ１５が連結されており、バネ１５の他端は支持フレーム４に固定されている。牽引ワイヤ１３が引っ張られると、挟持片１２は、軸を中心に図２において向かって反時計回りに回転しようとするので、先部はバネ１５の弾性力に抗して下向きに力を受け、鍬刃１１に近接する。
【００２９】
鍬刃１１は、図２に示すように、鍬刃１１の中心線に沿ってアーム１７が密着しており、挟持片１２を鍬刃１１に近接させたとき、挟持片１２とアーム１７とが重なって密接するとともに、挟持片１２の先端部と鍬刃１１の先端部とが一致するように構成されている。
【００３０】
操作レバー１４は、図１及び図３に示すように、操作シャフト２の中間部に略４５°の上方に向けて設けられており、挟持片１２と牽引ワイヤ１３を介して連結されている。使用者が、操作レバー１４と操作シャフト２とを併せて握ると牽引ワイヤ１３が上方に引っ張られるようになっている。すなわち、図４に示すように、使用者が、操作レバー１４を握ると、牽引ワイヤ１３が上方に引っ張られ、これに連動して挟持片１２が鍬刃１１に近接し（図４（Ｂ）を参照。）、操作レバー１４を離すと、牽引ワイヤ１３が定位置に戻るため、これに連動して挟持片１２が鍬刃１１から離間する（図４（Ａ）を参照。）。
【００３１】
鍬刃２１は、鋼材等からなり、図２に示すように、操作シャフト２の軸下端側に設けられた支持フレーム４に、鍬刃１１と反対を向くようにして固設されている。鍬刃２１は、先端部が斜めに裁断された四角状であって、先端部に三角状のスリット２６が設けられている。鍬刃２１は、先端部が上を向くように適度に傾斜が設けられており、通常の鍬としても使用できる。
【００３２】
挟持片２２は、図２に示すように、先端部が斜めに裁断された形状の鋼材等からなる平板であって、堀込方向を対称軸として鍬刃２１の裁断方向とは線対称の方向に裁断された形状をしている。
【００３３】
挟持片２２は、後部寄りの部位において支持フレーム４に軸支されており、更に後部が牽引ワイヤ２３に連結されている。そして、挟持片２２は、支持フレーム４への軸支位置より先部寄りの部位においてバネ２５が連結されており、バネ２５の他端は支持フレーム４に固定されている。牽引ワイヤ２３が引っ張られると、挟持片２２は、軸を中心に図２において向かって時計回りに回転しようとするので、先部はバネ２５の弾性力に抗して下向きに力を受け、鍬刃２１に近接又は密着する。挟持片２２は、図５（Ｂ）に示すように、鍬刃２１に近接させたとき、鍬刃２１の全体を覆うように構成されている。
【００３４】
操作レバー２４は、図１及び図３に示すように、操作シャフト２の中間部に略４５°の上方に向けて設けられており、挟持片２２と牽引ワイヤ２３を介して連結されている。使用者が、操作レバー２４と操作シャフト２とを併せて握ると牽引ワイヤ２３が上方に引っ張られるようになっている。すなわち、図５に示すように、使用者が、操作レバー２４を握ると、牽引ワイヤ２３が上方に引っ張られ、これに連動して挟持片２２が鍬刃２１に近接し（図５（Ａ）を参照。）、操作レバー２４を離すと、牽引ワイヤ２３が定位置に戻るため、これに連動して挟持片２２が鍬刃２１から離間する（図５（Ａ）を参照。）。
【００３５】
２．草取り器具１の作用及び使用方法
続いて、この草取り器具１の作用及び使用方法を説明する。先ず、草を摘み取るに当たり、使用者が操作シャフト２のグリップ部３を片手で握り、他方の手で操作レバー１４又は操作レバー２４を操作シャフト２と併せて持って立ち姿勢のままで、鍬刃１１又は鍬刃２１を草の近傍に堀込む。鍬刃１１又は鍬刃２１の何れを選択するかは土の硬さによって判断し、土が硬い場合には先端部が鋭角の鍬刃１１を用い、土が柔らかい場合には操作シャフト２を反転させて先端部が平らな鍬刃２１を使用する。
【００３６】
そして、操作レバー１４又は操作レバー２４と操作シャフト２とを併せて握ると牽引ワイヤ２３が上方に引っ張られるようになっているので、使用者は、操作レバー１４又は操作レバー２４を握り、牽引ワイヤ１３又は牽引ワイヤ２３を上方に引っ張ることにより、図４（Ｂ）又は図５（Ｂ）に示すように、挟持片１２又は挟持片２２を鍬刃１１又は鍬刃２１に近接させて草を挟持する。
【００３７】
この草の挟持状態は、使用者が操作レバー１４又は操作レバー２４を握り続けることにより、使用者の力を草の挟持力として作用させられるため、使用者が器具全体を引き上げるのに伴って草を強く掴んで確実に抜き取れる。
【００３８】
草の抜取り後、使用者が操作レバー１４又は操作レバー２４の握りを解除すると、牽引ワイヤ１３又は牽引ワイヤ２３が定位置に戻るため、図４（Ａ）又は図５（Ａ）に示すように、これに連動して挟持片１２又は挟持片２２が鍬刃１１又は鍬刃２１から離間する。これにより、摘み取った草を排出できる。
【００３９】
なお、本考案は前述した実施の形態のみに限定されるものではなく、本考案の要旨を逸脱しない範囲において種々の変更が可能であることは勿論である。
【符号の説明】
【００４０】
１      草取り器具
２      操作シャフト
３      グリップ部
４      支持フレーム
１１    鍬刃
１２    挟持片
１３    牽引ワイヤ
１４    操作レバー
１５    バネ
１６    返し部
１７    アーム
２１    鍬刃
２２    挟持片
２３    牽引ワイヤ
２４    操作レバー
２５    バネ
２６    スリット
１００  草取り器具
１０１  基体フレーム
１０２  基体フレーム
１０４  挟持爪
１０５  挟持爪
１１３  掛止め片
１１５  施錠片
Ｃ      草の摘取り機構部
Ｓ      操作シャフト
【図６】
0003170748.tif 000003
【図１】
0003170748.tif 000004
【図２】
0003170748.tif 000005
【図３】
0003170748.tif 000006
【図４】
0003170748.tif 000007
【図５】
0003170748.tif 000008